(57)【要約】      （修正有）【課題】硫及び硝がより十分に酸化され、排出された排ガスが環境を汚染することはない脱硫脱硝除塵機を提供する。【解決手段】支持接続フレーム１、安定脚２、ダスト貯蔵ホッパ３、反応槽４、観察用ガラス窓５、外部保護フレーム６、煙吸収ホッパ７、フィルタ８、上保護板９、触媒室１０、フック部１１、作業指示灯１２、及び温度制御器１３を備え、温度制御器１３には、信号灯、設定ボタン、ディスプレイ、温度センサ、カバー、及び集積回路基板が配置されている。カバーは、反応槽と溶接されている。設定ボタンは、ディスプレイの下方に等間隔で均等に配置されている。集積回路基板は、カバーの内部に配置され、且つ反応槽４の内部の回路基板と電気的に接続されている。温度センサは、カバーの上方に配置され、且つ集積回路基板と電気的に接続されている。温度制御器１３を配置することにより、反応槽４内の温度を調節及び制御することができる。【選択図】図１
0003221954.tif 000002
【実用新案登録請求の範囲】
【請求項１】
支持接続フレーム（１）、安定脚（２）、ダスト貯蔵ホッパ（３）、反応槽（４）、観察用ガラス窓（５）、外部保護フレーム（６）、煙吸収ホッパ（７）、フィルタ（８）、上保護板（９）、触媒室（１０）、フック部（１１）、作業指示灯（１２）、及び温度制御器（１３）を備えた脱硫脱硝除塵機であって、前記安定脚（２）は、３本あり且つ前記反応槽（４）の下方に溶接され、前記安定脚（２）は、前記ダスト貯蔵ホッパ（３）を取り囲むようにこれと接続され、前記観察用ガラス窓（５）は、前記外部保護フレーム（６）の表面に配置され、前記外部保護フレーム（６）は、前記反応槽（４）の表面に粘着され、前記上保護板（９）は、リベットを介して前記触媒室（１０）の上方に固定されており、
前記フィルタ（８）は、前記触媒室（１０）の右側にネジ接続されており、前記煙吸収ホッパ７は、前記フィルタ（８）の前方に溶接されており、前記作業指示灯（１２）は、前記触媒室（１０）の表面に粘着され且つ前記温度制御器（１３）と電気的に接続され、前記フック部（１１）と前記触媒室（１０）とは、一体構造となっており、前記フック部は（１１）、前記触媒室（１０）の右側に設けられており、前記温度制御器（１３）は、前記反応槽（４）の右側の下方に水平に固定されており、
前記温度制御器（１３）には、信号灯（１３０１）、設定ボタン（１３０２）、ディスプレイ（１３０３）、温度センサ（１３０４）、カバー（１３０５）、及び集積回路基板（１３０６）が配置され、前記カバー（１３０５）は、前記反応槽（４）と溶接され、前記ディスプレイ（１３０３）は、前記カバー（１３０５）の表面に粘着されて、前記設定ボタン（１３０２）は、前記ディスプレイ（１３０３）の下方に等間隔で均等に配置され、前記信号灯（１３０１）は、前記カバー（１３０５）の表面の右下角に粘着され、前記集積回路基板（１３０６）は、前記カバー（１３０５）の内部に配置され、且つ前記反応槽（４）の内部の回路基板と電気的に接続され、前記温度センサ（１３０４）は、前記カバー（１３０５）の上方に配置され、且つ前記集積回路基板（１３０６）と電気的に接続されていることを特徴とする脱硫脱硝除塵機。
【請求項２】
前記ダスト貯蔵ホッパ（３）は、前記反応槽（４）の下方にほぞ接合されていることを特徴とする請求項１に記載の脱硫脱硝除塵機。
【請求項３】
前記支持接続フレーム（１）は、３本あり、且つ頭部と尾部とが順に三角形を形成するように配置されていることを特徴とする請求項１に記載の脱硫脱硝除塵機。
【請求項４】
前記支持接続フレーム（１）は、前記安定脚（２）と溶接されていることを特徴とする請求項１に記載の脱硫脱硝除塵機。
【請求項５】
前記触媒室（１０）は、前記反応槽（４）の上方に溶接されていることを特徴とする請求項１に記載の脱硫脱硝除塵機。。
【請求項６】
前記外部保護フレーム（６）は、高複合ゴムからなることを特徴とする請求項１に記載の脱硫脱硝除塵機。。
【請求項７】
前記安定脚（２）は、合金材料からなることを特徴とする請求項１に記載の脱硫脱硝除塵機。
【考案の詳細な説明】
【技術分野】
【０００１】
本考案は、脱硫脱硝除塵機に関し、脱硫脱硝除塵機の分野に属する。
【背景技術】
【０００２】
脱硫脱硝除塵技術は、選択的非触媒還元法による脱硝技術であり、当該技術においては、ＮＨ3や尿素等の還元剤を温度が８５０〜１１００℃の炉内エリアに噴霧し、還元剤が急速にＮＨ3に分解されて排ガス内のＮＯＸと選択的反応を行い、ＮＯＸが窒素ガス及び水に還元される。この方法は、炉を反応器としているため、工程が簡単であり、操作が便利である。
【０００３】
出願番号が２０１５２０８３８２５５．５である従来技術は、脱硝処理室を備えた脱硫脱硝除塵機を開示している。前記脱硝処理室の右側には、脱硫処理室及び気液分離室が順に設けられている。前記脱硝処理室の頂部には、吸気管路が差し挟まれ、且つ当該吸気管路の、脱硝処理室の外側に露出している一端には、ダンパが接続されている。前記ダンパの底部には、排ガス入口が設けられている。前記脱硝処理室の内部には、第１仕切板が配置されている。前記第１仕切板の上面には、頂部が脱硝処理室の頂部の吸気管路と接続された脱硝反応器が配置されている。前記脱硝処理室の底部には、左側に第１エアーパイプが接続された窒素供給装置が配置されている。当該脱硫脱硝装置は、低コストで脱硝、脱硫の作業を順に完了し、処理や操作が便利であり、煙に含まれる有害ガスの排出効果を実現している。硫及び硝を含む物質をそれぞれ排出することで気体排出の通過率が保証される。しかしながら、従来技術における反応室内の温度が終始同じようになっているため、排ガス及び触媒剤の反応が不十分であり、硝及び硫の酸化も不十分であり、環境が汚染される。
【考案の概要】
【考案が解決しようとする課題】
【０００４】
従来技術の欠点に鑑み、本発明の目的は、従来技術における反応室内の温度が終始同じようになっていることによって、排ガス及び触媒剤の反応が不十分であり、硝及び硫の酸化も不十分であり、環境が汚染されるという問題を解決するための脱硫脱硝除塵機を提供することである。
【課題を解決するための手段】
【０００５】
上記の目的を実現するために、本考案は以下の技術的解決手段を採用する。脱硫脱硝除塵機であって、支持接続フレーム、安定脚、ダスト貯蔵ホッパ、反応槽、観察用ガラス窓、外部保護フレーム、煙吸収ホッパ、フィルタ、上保護板、触媒室、フック部、作業指示灯、及び温度制御器を備えている。３本の前記安定脚は、前記反応槽の下方に同距離で溶接されている。前記安定脚は、前記ダスト貯蔵ホッパを取り囲むようにこれと接続されている。前記観察用ガラス窓は、前記外部保護フレームの表面に配置されている。前記外部保護フレームは、前記反応槽の表面に粘着されている。前記上保護板は、リベットを介して前記触媒室の上方に固定されている。前記フィルタは、前記触媒室の右側にネジ接続されている。前記煙吸収ホッパは、前記フィルタの前方に溶接されている。前記作業指示灯は、前記触媒室の表面に粘着され且つ前記温度制御器と電気的に接続されている。前記フック部と前記触媒室とは、一体構造となっている。前記フック部は、前記触媒室の右側に設けられている。前記温度制御器は、前記反応槽の右側の下方に水平に固定されている。前記温度制御器には、信号灯、設定ボタン、ディスプレイ、温度センサ、カバー、及び集積回路基板が配置されている。前記カバーは、前記反応槽と溶接されている。前記ディスプレイは、前記カバーの表面に粘着されている。前記設定ボタンは、前記ディスプレイの下方に等間隔で均等に配置されている。前記信号灯は、前記カバーの表面の右下角に粘着されている。前記集積回路基板は、前記カバーの内部に配置され、且つ前記反応槽の内部の回路基板と電気的に接続されている。前記温度センサは、前記カバーの上方に配置され、且つ前記集積回路基板と電気的に接続されている。
【０００６】
さらに、前記ダスト貯蔵ホッパは、前記反応槽の下方にほぞ接合されている。
【０００７】
さらに、３本の前記支持接続フレームは、頭部と尾部とが順に三角形を形成するように配置されている。
【０００８】
さらに、前記支持接続フレームは、前記安定脚と溶接されている。
【０００９】
さらに、前記触媒室は、前記反応槽の上方に溶接されている。
【００１０】
さらに、前記外部保護フレームは、ガラスをより良好に保護することができる高複合ゴムからなる。
【００１１】
さらに、前記安定脚は、前記反応槽をより安定的に支持できる合金材料からなる。
【考案の効果】
【００１２】
本考案の有益な効果は以下の通りである。温度制御器を配置することにより、反応室内の温度を調節及び制御することができる。これにより、温度が徐々に上昇し、排ガスと触媒剤との酸化効果がより十分になり、硫及び硝がより十分に酸化され、排出された排ガスが環境を汚染することはない。
【図面の簡単な説明】
【００１３】
以下、図面を参照しつつ、非限定的な実施形態について詳細に説明する。これにより、本考案の他の特徴、目的及び利点は、より明確になるであろう。
【００１４】
【図１】本考案に係る脱硫脱硝除塵機の構成概略図である。
【図２】本考案に係る温度制御器の構成概略図である。
【考案を実施するための形態】
【００１５】
本考案の技術的解決手段、創作の特徴、目的及び効果を理解しやすくするために、以下、具体的な実施形態と共に本考案について詳述する。
【００１６】
図１及び図２を参照されたい。本考案に係る脱硫脱硝除塵機は、支持接続フレーム１、安定脚２、ダスト貯蔵ホッパ３、反応槽４、観察用ガラス窓５、外部保護フレーム６、煙吸収ホッパ７、フィルタ８、上保護板９、触媒室１０、フック部１１、作業指示灯１２、及び温度制御器１３を備えている。３本の前記安定脚２は、反応槽４の下方に溶接されている。安定脚２は、ダスト貯蔵ホッパ３を取り囲むようにこれと接続されている。観察用ガラス窓５は、外部保護フレーム６の表面に配置されている。外部保護フレーム６は、反応槽４の表面に粘着されている。上保護板９は、リベットを介して触媒室１０の上方に固定されている。フィルタ８は、触媒室１０の右側にネジ接続されている。煙吸収ホッパ７は、フィルタ８の前方に溶接されている。作業指示灯１２は、触媒室１０の表面に粘着され且つ温度制御器１３と電気的に接続されている。フック部１１と触媒室１０とは、一体構造となっている。フック部は１１、触媒室１０の右側に設けられている。温度制御器１３は、反応槽４の右側の下方に水平に固定されている。温度制御器１３には、信号灯１３０１、設定ボタン１３０２、ディスプレイ１３０３、温度センサ１３０４、カバー１３０５、及び集積回路基板１３０６が配置されている。カバー１３０５は、反応槽４と溶接されている。ディスプレイ１３０３は、カバー１３０５の表面に粘着されている。設定ボタン１３０２は、ディスプレイ１３０３の下方に等間隔で均等に配置されている。信号灯１３０１は、カバー１３０５の表面の右下角に粘着されている。集積回路基板１３０６は、カバー１３０５の内部に配置され、且つ反応槽４の内部の回路基板と電気的に接続されている。温度センサ１３０４は、カバー１３０５の上方に配置され、且つ集積回路基板１３０６と電気的に接続されている。ダスト貯蔵ホッパ３は、反応槽４の下方にほぞ接合されている。３本の支持接続フレーム１は、頭部と尾部とが順に三角形を形成するように配置されている。支持接続フレーム１は、安定脚２と溶接されている。触媒室１０は、反応槽４の上方に溶接されている。外部保護フレーム６は、ガラスをより良好に保護することができる高複合ゴムでからなる。安定脚２は、反応槽４をより安定的に支持できる合金材料からなる。
【００１７】
排ガスは、煙吸収ホッパ７を介して入り、フィルタ８で濾過された後触媒室に入り、排ガス内の硝と硫との活性が触媒され、触媒剤と共に反応槽４に入る。反応槽４内には、温度の高い気体が充填されており、これにより、硝と硫との酸化還元反応が触媒される。温度センサ１３０４は、反応槽４内の温度を感知し、且つ信号をディスプレイ１３０３に伝送することができる。ユーザは、設定ボタン１３０２を介して温度を調節及び制御することができる。調節及び制御された信号は、集積回路基板１３０６に伝送され、集積回路基板１３０６によって反応槽４まで送信される。熱を帯びる気体が反応槽４によってダスト貯蔵ホッパ３へ排出されて放散され、温度が低下する。これにより、温度が段階的に変化し、酸化反応がより十分になる。
【００１８】
本考案に係る温度センサ１３０４は、温度を感知して利用可能な出力信号に変換できるセンサである。
【００１９】
本考案に係る支持接続フレーム１、安定脚２、ダスト貯蔵ホッパ３、反応槽４、観察用ガラス窓５、外部保護フレーム６、煙吸収ホッパ７、フィルタ８、上保護板９、触媒室１０、フック部１１、作業指示灯１２、温度制御器１３、信号灯１３０１、設定ボタン１３０２、ディスプレイ１３０３、温度センサ１３０４、カバー１３０５、及び集積回路基板１３０６のそれぞれは、汎用標準部材又は当業者に知られている部材であり、それらの構造及び原理について、技術者らが技術マニュアル又は従来の実験方法によって知得することができる。本考案が解決しようとする問題は、従来技術における反応室内の温度が終始同じようになっていることによって、排ガス及び触媒剤の反応が不十分であり、硝及び硫の酸化も不十分であり、環境が汚染されるということである。本考案は、上記の部材を組み合せることにより、反応室内の温度を調節及び制御することができる。これにより、温度が徐々に上昇し、排ガスと触媒剤との酸化効果がより十分になり、硫及び硝がより十分に酸化され、排出された排ガスが環境を汚染することはない。具体的には、以下の通りである。
【００２０】
カバー１３０５は、反応槽４と溶接されている。ディスプレイ１３０３は、カバー１３０５の表面に粘着されている。設定ボタン１３０２は、ディスプレイ１３０３の下方に等間隔で均等に配置されている。信号灯１３０１は、カバー１３０５の表面の右下角に粘着されている。集積回路基板１３０６は、カバー１３０５の内部に配置され、且つ反応槽４の内部の回路基板と電気的に接続されている。温度センサ１３０４は、カバー１３０５の上方に配置され、且つ集積回路基板１３０６と電気的に接続されている。
【００２１】
上述した本考案の基本的な原理、主要な特徴及び利点は、例示した実施形態の詳細であり、本考案を限定するものではない。当業者は、本考案の精神及び本質から逸脱しない限り、本考案の他の特定の形態で実現することができる。従って、実施形態は、いずれの観点から、例示的且つ非限定的であると考えられるべきである。本考案の範囲は、上記の説明ではなく、実用新案登録請求の範囲によって決められるため、請求項の範囲の、同等性要件を有する意味及び範囲内に属するすべての変更は、本考案に含まれる。実用新案登録請求の範囲における参照符号は、請求項の範囲を限定するものではないと理解されたい。
【００２２】
また、本明細書は、実施形態に基づいて説明されているが、１つの実施形態が１つの独立した技術的解決手段のみを含むわけではないことは理解されたい。明細書についてのこのような記載方法は、理解しやいためであり、当業者が明細書を１つの全体としてみなすべきである。各実施形態における技術的解決手段は、適宜の組合せにより、当業者に理解されるほかの実施形態に形成されてもよい。
【符号の説明】
【００２３】
１  支持接続フレーム
２  安定脚
３  ダスト貯蔵ホッパ
４  反応槽
５  観察用ガラス窓
６  外部保護フレーム
７  煙吸収ホッパ
８  フィルタ
９  上保護板
１０  触媒室
１１  フック部
１２  作業指示灯
１３  温度制御器
１３０１  信号灯
１３０２  設定ボタン
１３０３  ディスプレイ
１３０４  温度センサ
１３０５  カバー
１３０６  集積回路基板
【図１】
0003221954.tif 000003
【図２】
0003221954.tif 000004